(57)【特許請求の範囲】
【請求項１】
凝縮器と、蒸発器と、冷媒と、少なくとも加熱作動モード及び冷却作動モードの能力とを有する型式の冷却装置において、並列に作動する多数コンプレッサ装置が、主コンプレッサと、少なくとも１つの二次的コンプレッサとを組み合わせて備え、コンプレッサ及び蒸発器が、前記主コンプレッサが冷却作動モードにて作動するのに合った寸法とされ、
前記主コンプレッサが、ある温度範囲以上の加熱作動モードにて専用的に作動し、
前記二次的コンプレッサが前記温度範囲の加熱作動モードにて作動を開始し、これと同時に、前記主コンプレッサと共に作動し、
屋外の温度が前記温度範囲内である屋外のサーモスタットの設定点以下に降下したとき、時間遅延の後、前記二次的コンプレッサが加熱作動モードにて作動を開始し、
加熱作動モードにて冷却装置を通る冷媒の質量流れが冷却作動モードにおける冷媒の質量流れ以下であるようにした、冷却装置。
【請求項２】
請求項１に記載の冷却装置において、温度が前記温度範囲以下に降下するに伴って、加熱モードにて前記主コンプレッサと共に作動する二次的コンプレッサの数が増す、冷却装置。
【請求項３】
請求項２に記載の冷却装置において、前記温度範囲以下の温度のとき、前記前記追加の二次的コンプレッサの各々が、前記主コンプレッサと共に作動を開始する、冷却装置。
【請求項４】
請求項１に記載の冷却装置において、前記二次的コンプレッサの少なくとも一方が、冷却モードの作動時、前記主コンプレッサと交互に専用的作動を行う、冷却装置。
【請求項５】
請求項１に記載の冷却装置において、前記温度範囲が、約−６.６６７℃（約２０°Ｆ）乃至−１.１１１℃（３０°Ｆ）の範囲にある、冷却装置。
【請求項６】
請求項１に記載の冷却装置において、該冷却装置内にて前記複数のコンプレッサを相互に接続する相互接続導管手段を更に備える、冷却装置。
【請求項７】
凝縮器と、蒸発器と、冷媒と、少なくとも加熱及び冷却作動モードの能力とを有する型式の冷却装置を作動させる方法において、
加熱作動モードにて冷媒を冷却装置の蒸発器から主コンプレッサまで通して冷媒を圧縮し且つ冷媒を冷却装置の凝縮器に供給し、前記主コンプレッサが、ある温度範囲以上の加熱作動モードにて専用的に作動するようにするステップと、
前記主コンプレッサが冷媒を冷却する唯一の手段となる前記温度範囲を選択することにより、冷媒を圧縮し得るように前記主コンプレッサの専用的な作動を制御するステップと、
屋外の温度が前記温度範囲内である屋外のサーモスタットの設定点以下に降下したとき、時間遅延の後、前記二次的コンプレッサが加熱作動モードにて作動を開始し、前記主コンプレッサと共に並列に作動し、冷媒を冷却装置の蒸発器から前記主コンプレッサ及び二次的コンプレッサに流し、加熱作動モードにて冷却装置を通る冷媒の質量流れが冷却作動モードにおける冷媒の質量流れ以下であるようにするステップと、
を備える、方法。
【請求項８】
請求項７に記載の冷却装置の作動方法において、加熱作動モードのとき温度が前記温度範囲以下に降下するに伴い、作動する二次的コンプレッサの数が増し、加熱作動モードにおける冷却装置を通って流れる冷媒の質量流れが、冷却作動モードにおける冷媒の質量流れ以下であるように少なくとも１つの追加的な二次的コンプレッサを提供するステップを更に備える、方法。
【請求項９】
請求項８に記載の冷却装置の作動方法において、冷却作動モードにおける前記二次的コンプレッサの少なくとも１つの専用的な作動を前記主コンプレッサと交互に行うステップを更に備える、方法。
【請求項１０】
請求項７に記載の冷却装置の作動方法において、冷却作動モードにおける前記二次的コンプレッサの専用的な作動を前記主コンプレッサと交互に行うステップを更に備える、方法。
【請求項１１】
請求項７に記載の冷却装置の作動方法において、冷却装置が、冷却作動モードにおいて前記主コンプレッサに合うような寸法とされる、方法。
【請求項１２】
請求項７に記載の冷却装置の作動方法において、前記温度範囲が、約−６.６６７℃（約２０°Ｆ）乃至−１.１１１℃（３０°Ｆ）の範囲にある、方法。
【請求項１３】
凝縮器と、蒸発器と、冷媒と、少なくとも加熱及び冷却モードの作動の能力とを有する型式の冷却装置において、並列に作動する多数コンプレッサ装置が、主コンプレッサと、少なくとも１つの二次的コンプレッサとを組み合わせ、凝縮器及び蒸発器が、冷却作動モードにおいて冷却装置内の前記主コンプレッサと作動し得るように寸法決めされ、
前記主コンプレッサが、約−６.６６７℃（約２０°Ｆ）乃至−１.１１１℃（３０°Ｆ）以上の加熱作動モードにて専用的に作動し、
前記二次的コンプレッサが前記温度範囲のとき加熱作動モードの作動を開始し、これと同時に、前記主コンプレッサと共に作動し、
屋外の温度が前記温度範囲内である屋外のサーモスタットの設定点以下に降下したとき、時間遅延の後、二次的コンプレッサが加熱作動モードにて作動を開始し、
加熱作動モードにおいて冷却装置を通って流れる冷媒の質量流れが冷却作動モードにおける冷媒の質量流れ以下であり、
前記二次的コンプレッサが冷却作動モードにおける専用的な作動を前記主コンプレッサと交互に行う、冷却装置。
【発明の詳細な説明】
【０００１】
【発明の背景】
【０００２】
【発明の分野】
本発明は、低い周囲温度のとき加熱モードにおいて可逆式冷却装置内で余剰な能力を提供すべく多数のコンプレッサを使用することに関する。本発明は、より具体的には、特定の温度以上のとき、単一のコンプレッサすなわち主コンプレッサを利用し、次に、その温度及びその温度以下のとき、加熱作動モードにて、多数のコンプレッサを同時に利用し、より低い周囲温度のとき熱出力が一定のままであるようにすることに関する。冷却モードにおいて、主コンプレッサは、単一のコンプレッサ作動時、多数の二次的コンプレッサの任意のものと交互に作動し、それらコンプレッサの寿命を引き延ばす。
【０００３】
【背景技術の説明】
現在、商業的に利用可能な多数コンプレッサ装置の殆どは、冷却モードにおいてのみ二重のコンプレッサを使用し、この場合、高い周囲温度のときに余剰な冷却能力が得られるように、主として第二のコンプレッサが使用される。これら公知の二重コンプレッサ装置は、冷却モードのときにのみ使用される。かかる装置は、第一段階の冷却モードのとき、主コンプレッサと比較して、過大寸法の凝縮器及び蒸発器を必要とする。その理由は、双方のコンプレッサが第二段階の冷却モードにて作動しているとき、装置の全体を通る冷媒の質量流れが増大するからである。換言すれば、高い周囲温度のとき、多数のコンプレッサが冷却モードにて同時に作動するから、冷却装置の全体は、増大した冷媒の流れに対応し得るような寸法としなければならない。
【０００４】
これらの公知の多数コンプレッサ冷却装置に関して、これらの装置は、著しく高コストにて過大寸法の形態としたものに過ぎず、冷却モードにて作動するときの性能効率は劣る。更に、冷却モードにて多数コンプレッサを同時に使用することは、多数コンプレッサの個々の通常の予想寿命よりも先に、冷却装置の寿命が尽きる可能性がある。
【０００５】
こうした初期の多数、過大寸法のコンプレッサ装置の不十分さが確認されたこに対応して、加熱及び冷却モードの双方にて利用することができ、しかも、冷却モードにて単一のコンプレッサにのみ合った寸法とされた多数コンプレッサ装置が必要とされることが明らかになった。この装置は、熱出力が一定であるように、多数コンプレッサを提供することにより、低い外部の周囲温度のとき、増大した冷媒の質量流れを提供しなければならない。しかしながら、より高い周囲温度のとき、加熱モードにて、単一の主コンプレッサが冷却装置全体の構成要素の寸法を決定する。更に、主コンプレッサ自体は冷却モードにて十分である。このため、本発明の装置は、装置全体の予想寿命を引き延ばすため、冷却モードにてコンプレッサを交互に使用することを可能にする。当該技術にて色々な型式の多数コンプレッサの冷却装置が存在するため、多数コンプレッサ装置を改良することが不断に必要とされ且つ課題とされており、本発明は、この点に関して、こうした必要性及び課題に対応するものであることを理解することができる。
【０００６】
このため、本発明の主目的は、従来技術の装置の上記の難点を解決し且つ冷却装置の進歩に顕著に寄与する改良を実現することである。
本発明の別の目的は、より初期の多数コンプレッサ装置の有利な点の全てを有するが、その不利益な点の何れも存在しない、冷却装置にて使用される新規且つ改良された多数コンプレッサ装置を提供することである。
【０００７】
本発明の別の目的は、より低い周囲温度のとき、一定の熱出力を保つ多数コンプレッサ装置を提供することである。
本発明の更に別の目的は、より高い外部の周囲温度のとき冷却モードにて作動する単一コンプレッサの質量流れに合う寸法とした冷却装置と適合可能な多数コンプレッサ装置を提供することである。
【０００８】
本発明の更に別の目的は、外部の周囲温度の特定の温度範囲よりも高い温度のとき、主コンプレッサを加熱モードにて作動させ、次に、外部の周囲温度がその同一の特定の温度範囲よりも降下したとき、二次的コンプレッサを主コンプレッサと共に作動させる多数コンプレッサ装置を提供することである。
【０００９】
本発明の更に別の目的は、冷却装置が冷却モードにて、主コンプレッサに合った寸法とされるが、冷却モードにて単一の作動を行い得るように、二次的コンプレッサが主コンプレッサと交互に作動する多数コンプレッサ装置を提供することである。
【００１０】
更に別の目的は、凝縮器と、蒸発器と、冷媒と、少なくとも加熱及び冷却作動モードの能力とを有する型式の冷却装置において、並列作動の多数コンプレッサ装置が、主コンプレッサ及び少なくとも１つの二次的コンプレッサの組合わせ体を備え、凝縮器及び蒸発器が、冷却作動モードにおいて主コンプレッサと共に作動可能な寸法とされ、主コンプレッサがある温度範囲以上の加熱モードにて専用的に作動し、二次的コンプレッサが温度範囲内で加熱作動モードにて作動を開始し、これと同時に、主コンプレッサと共に作動し、加熱作動モードのとき冷却装置を通る冷媒の質量流れが冷却作動モードのときの冷媒の質量流れ以下であるようにした、冷却装置を提供することである。
【００１１】
本発明の追加的な目的は、凝縮器と、蒸発器と、冷媒と、少なくとも加熱及び冷却作動モードの能力とを有する型式の冷却装置を作動させる方法であって、加熱作動モードにおいて、冷媒を圧縮すべく冷却装置の蒸発器から主コンプレッサまで冷媒を通すステップと、その冷媒を冷却装置の凝縮器に供給するステップと、主コンプレッサが、ある温度範囲以上の加熱作動モードにて専用的に作動するようにするステップと、主コンプレッサが冷媒を圧縮する唯一の手段となる温度を選択することにより、主コンプレッサの専用的な作動を制御するステップと、加熱モード中で且つ温度範囲内にあるとき、冷媒を冷却装置の蒸発器から主コンプレッサ及び二次的コンプレッサに流すステップとを備え、加熱作動モードのとき冷却装置を通る冷媒の質量流れが冷却モードのときの冷媒の質量流れ以下であるようにした冷却方法を提供することである。
【００１２】
別の目的は、二次的コンプレッサの少なくとも１つの冷却作動モードの専用的な作動を主コンプレッサと交互に行うステップを更に備える、冷却装置の作動方法を提供することである。
【００１３】
上記は、本発明の関連する目的の概略を説明したものである。これらの目的は、目的とする発明のより顕著な特徴及び適用例の幾つかを単に説明するに過ぎないと解釈すべきである。開示した発明を異なる方法にて適用し、又は開示の範囲内にて発明を改変することにより、多くの他の有利な結果を得ることができる。従って、添付図面と共に、記載した特許請求の範囲により画定された本発明の範囲に加えて、本発明の概要及び好ましい実施の形態の詳細な説明を参照することにより、本発明のその他の目的及びより包括的な理解が可能であろう。
【００１４】
【発明の概要】
本発明は、添付図面に図示した特別の実施の形態と共に、特許請求の範囲により画定される。本発明は、高い周囲温度のとき冷却モードにて作動する単一のコンプレッサに合うような寸法に冷却装置を保ちつつ、低い周囲温度のとき多数のコンプレッサを同時に作動させることのできる、この有利な点の必要性を満足させる装置に関するものである。本発明の概要を説明する目的のため、本発明は、冷却作動モードにて、単一の主コンプレッサに合った寸法とした冷却装置を備えている。この主コンプレッサは、特定の温度範囲以上のとき加熱モードにて専用的に作動する。好ましくは、この温度範囲は約−６.６６７℃（約２０°Ｆ）乃至−１．１１１℃（３０°Ｆ）の範囲にあるようにする。しかしながら、この特別の温度範囲以下のとき、加熱モードにて追加の二次的コンプレッサが主コンプレッサと同時に作動する。この特定の温度範囲以下となるように温度差に増すならば、主コンプレッサと共に作動する二次的コンプレッサの数は増す。換言すれば、この温度範囲の各インクレメント以下に降下したならば、追加の二次的コンプレッサは、それ以前に作動を開始したコンプレッサと共に作動し始める。しかしながら、本発明の冷却装置において、加熱作動モード中における冷媒の質量流れは、冷却作動モードのときの冷媒の質量流れに等しいか又はそれ以下のままである。
【００１５】
本発明の１つの重要な特徴は、外部の周囲温度が主コンプレッサが専用的に作動するために設定されたおおよその温度範囲以下に降下したならば、二次的コンプレッサが主コンプレッサと共に作動する結果、加熱モードにおける冷媒の質量流れが増大する。更に、凝縮器及び蒸発器は、冷却作動モードのとき単一のコンプレッサにのみ合う寸法とされている。このため、本発明は、低い外部の周囲温度のとき、加熱作動モードにて冷媒の増大した質量流れを保つが、冷却モードのとき作動する単一のコンプレッサに対する質量流れ以下であるようにその流れを保つ手段を提供するものであることが容易に理解できる。このように、本発明の多数コンプレッサ装置は、極めて良く理解されよう。
【００１６】
上記の説明は、本発明のより関連し且つ重要な特徴をかなり広く概説したものである。以下の本発明の詳細な説明は、当該技術分野へ貢献する程度をより完全に理解し得るように記述したものである。本発明の追加的な特徴は、以下に説明する。これらは、本発明の特許請求項の主題を構成することである。本発明と同一の目的を達成するため、その他の構造を改変し又は設計する基礎として、この着想及び開示した特定の実施の形態が容易に利用可能であることが当業者には理解されよう。また、かかる同等の構造の各々は、特許請求の範囲に記載した本発明の精神及び範囲から逸脱するものではないことも当業者により理解されよう。
【００１７】
本発明の性質及び目的をより明確に理解するため、添付図面と共に以下の詳細な説明について説明する。
幾つかの図面の全体を通じて同様の部品は同様の参照符号で示す。
【００１８】
【好ましい実施の形態の詳細な説明】
図面、特にその図３及び図４を参照しつつ、本発明の原理及び着想を具体化する、全体として、参照番号１０で図示した新規且つ改良された冷却装置について説明する。図１に図示するように、一対のコンプレッサ４、６と、凝縮器７と、膨張弁８と、蒸発器２とを備える冷却装置は、冷却モードにおいてのみ使用されることが公知である。図２には、この公知の過程が図示されている。サイクル１−２−３−４−１は、冷却モードにて作動する間の典型的な二重コンプレッサ装置の熱運動学的ステップの特徴を示す。
【００１９】
図３に図示するように、本発明の好ましい実施の形態は、主コンプレッサ３１と、二次的コンプレッサ３２とを備えている。二重コンプレッサ３１、３２は、凝縮器４０と、膨張弁５０と、蒸発器２０と並列接続している。
【００２０】
二重コンプレッサ３１、３２は、２つのコンプレッサの一方のみが運転している状態で冷却モードにて作動する。コンプレッサ３１、３２は、装置の予想寿命を引き延ばし得るように、冷却モードにて交互に作動するようにすることができる。更に、任意の数の二次的コンプレッサＮの一方が、単一のコンプレッサ作動のみが望まれるとき、冷却モードにて主コンプレッサ３１に代わって作動し、主コンプレッサ３１の寿命を引き延ばす。
【００２１】
冷却管の寸法、蒸発器２０、凝縮器４０は、冷却モードにて作動する１つのコンプレッサに対する質量流れに従った寸法とされている。簡単に説明すれば、本発明の冷却装置は、冷却モードにて作動する間、主コンプレッサ３１に合う寸法とされている。
【００２２】
このことは、冷却モードにて双方のコンプレッサが作動するときの質量流れに合うライン及びコイルの寸法とされた、従来の二重コンプレッサの技術と相違する。
【００２３】
加熱モードにおいて、本発明の二重コンプレッサが作動する場合、主コンプレッサ３１は、何らかの所定の屋外温度に降下するる迄、それ自体にて運転する。次に、二次的コンプレッサ３２を始動させ、所定の屋外の温度よりも高い温度にて経験された値に質量流れ及び能力を戻す。これは、多数コンプレッサ、すなわち、主コンプレッサ３１及び二次的コンプレッサ３２が互いに同時に作動する唯一の時点である。主コンプレッサ３１は、屋内のサーモスタット６０を作動させることで始動させる。サーモスタット６０が熱を必要とするとき、主コンプレッサ３１は、現在の屋外温度以上となった場合にのみ作動する。二次的コンプレッサ３２は、先ず、屋内のサーモスタット６０により制御される。屋内のサーモスタット６０が熱を要求しないとき、主コンプレッサ３１及び二次的コンプレッサ３２の何れも屋外の温度に関係なく作動しない。屋内のサーモスタット６０が熱を要求するならば、二次的コンプレッサ３２は、屋内のサーモスタット６０の作動に基づいて作動する（又は、該二次的コンプレッサは、吸引圧力又は高圧側の冷却圧力に基づいて作動するようにしてもよい）。
【００２４】
好ましい実施の形態において、主コンプレッサ３１は、約−６.６６７℃（約２０°Ｆ）乃至−１.１１１℃（３０°Ｆ）の温度範囲以上にて専ら作動する。しかしながら、この温度範囲は、特定の地理的領域の典型的な気象による影響を受け、高度のような多数の条件に依存して変動する可能性がある。本発明において、二次的コンプレッサ３２は、この温度範囲にある間に作動を開始し、主コンプレッサ３１と共に作動する。その後の二次的コンプレッサＮの各々は、この特別な温度範囲以下の温度範囲のとき、主コンプレッサ３１及び二次的コンプレッサ３２と共に作動し始める。例えば、その後の二次的コンプレッサの各々は、−６.６６７℃（約２０°Ｆ）乃至−１.１１１℃（３０°Ｆ）の範囲にて作動を開始する。主コンプレッサ３１及び二次的コンプレッサ３２のみが上述したように作動する場合、二次的コンプレッサ３３は、約−１２.２２２℃（約１０°Ｆ）乃至−２３.３３３℃（−１０°Ｆ）の温度範囲にて作動を開始する。次に、その後の二次的コンプレッサＮの各々は、二次的コンプレッサ３３の温度範囲約−１２.２２２℃（約１０°Ｆ）乃至−２３.３３３℃（−１０°Ｆ）より狭い約−６.６６７℃（約２０°Ｆ）乃至−１.１１１℃（３０°Ｆ）の温度範囲の間隔にて全ての他のコンプレッサと共に作動し始める。
【００２５】
屋外の温度が約−６.６６７℃（約２０°Ｆ）乃至４.４４４℃（４０°Ｆ）の上述した温度範囲内である屋外のサーモスタットの設定点以下に降下したとき、遅延時間６２が作動した後、二次的コンプレッサ３２が始動する。この遅延時間６２は、主コンプレッサ３１及び二次的コンプレッサ３２の双方が同時に作動して、出力の急激な上昇を防止する。このため、開始アンペアは減少する。遅延時間は、約３０秒乃至１分に設定することが好ましい。二次的コンプレッサ３２の作動停止の設定温度は、二次的コンプレッサ３２の作動設定温度よりも数度高くしてある。
【００２６】
このことは、全て、それ自体の屋外のサーモスタット６０をより低く、低温度に及び遅延時間６２にて追加的なコンプレッサＮが設定された状態にて、繰り返すことができる。図５には、低い周囲温度のとき加熱モードにて主コンプレッサ３１と共に作動することのできる複数の二次的コンプレッサＮが図示されている。図４には、主コンプレッサ３１と共に作動する多数の二次的コンプレッサＮの過程が図示されている。
【００２７】
サイクル１−２−３−４−１は、冷却モードにある間の典型的な二重コンプレッサ装置の熱運動学的特徴を示す。サイクル１´−２´−３´−４´−１´は、上述したように、加熱モードにて作動する一対のコンプレッサ３１、３２を備える本発明の特性を表わす。サイクル１´´−２´´−３´´−４´´−１´´は、２つの二次的コンプレッサ３２、３３が存在する本発明の特性を表わす。サイクル１N−２N−３N−４N−１Nは、任意の数Ｎの二次的コンプレッサが存在する本発明の特性を表わす。
【００２８】
二次的コンプレッサ３２又は多数の二次的コンプレッサＮの有利な点は、高い性能係数（ＣＯＰ）を保ちつつ、低い屋外温度のとき加熱能力が大で且つ装置のコストが低廉である点であり、それは、管及びコイルの寸法が冷却モードにて作動する１つのコンプレッサの質量流れに丁度、合うからである。
【００２９】
上述したように、冷却装置１０を使用することは、冷却装置１０自体に加えて、発明による方法を構成するものである。冷却装置の作動方法を実施するに当たり、ステップは、加熱モードのとき、冷媒を圧縮すべく冷媒を蒸発器２０から主コンプレッサ３１に流し且つ冷媒を凝縮器４０に供給することを含む。次に、この方法は、主コンプレッサ３１が冷媒を圧縮する唯一の手段である温度を選択することにより、主コンプレッサ３１の専用的な作動を制御するステップを含む。本発明の発明者は、好ましい温度範囲は−６.６６７℃（２０°Ｆ）乃至−１.１１１℃（３０°Ｆ）の範囲にあることが分かった。その温度範囲以上のとき加熱モードにて専用的に作動するため、主コンプレッサ３１が使用される。次に、この方法は、加熱モードにて温度範囲にて作動する間に、冷媒を蒸発器２０から二次的コンプレッサ３２まで流すことを含み、加熱モードにおいて冷却装置を通る冷媒の質量流れが冷却モードにおける冷媒の質量流れ以下であるようにする。
【００３０】
主コンプレッサ３１と関係して使用される冷媒Ｒ２２に対する能力及び質量流れを示すブリストル（Ｂｒｉｓｔｏｌ）コンプレッサモデルＨ２６Ｂ１５ＱＣＢＣに関する性能表、同様に、二重コンプレッサ作動と関係して使用される冷媒Ｒ２２に対する能力及び質量流れを示すブリストルコンプレッサモデルＨ２６Ｄ３６ＱＢＢＣに関する性能表を参照することにより、本発明の性能を説明することができる。
【００３１】
２つの典型的なコンプレッサの性能表から提供されるように、図６を参照すると、コンプレッサの質量流れ１対２にて、凝縮器を亙るエンタルピーの変化を適用すると、低い周囲温度（−６.６６７℃（２０°Ｆ）乃至−１.１１１℃（３０°Ｆ））のとき及び蒸発器の温度（−１２.２２２℃（１０°Ｆ）乃至−６.６６７℃（２０°Ｆ））のときの２つのコンプレッサが作動するための質量流れは、典型的な極端な冷却性能となる蒸発器の温度（１０℃（５０°Ｆ）乃至１２.７７８℃（５５°Ｆ））（凝縮器の温度３２.２２２℃（９０°Ｆ））のときに作動する先端コンプレッサの質量流れ以下であることが分かる。３２.２２２℃（９０°Ｆの凝縮器温度）における、二重コンプレッサが作動するための−１２.２２２℃（１０°Ｆ）乃至−６.６６７℃（２０°Ｆ）の蒸発器温度での質量流れは、２５８.７乃至３３５．４ｌｂ／ｈｒ質量流れとなる。先端コンプレッサに対する凝縮器の温度３２.２２２℃（９０°Ｆ）における、１０℃（５０°Ｆ）乃至１２.７７８℃（５５°Ｆ）の蒸発器の温度での質量流れは、２８６乃至３１４ｌｂ／ｈｒ質量流れとなる。
【００３２】
冷却モードにて作動する単一の（主）コンプレッサの冷却能力は、装置の効率に依存して、約２０，０００ＢＴＵＨ乃至２６，０００ＢＴＵＨの範囲にある。−１２.２２２℃（１０°Ｆ）乃至−６.６６７℃（２０°Ｆ）の蒸発器温度にて作動する二重コンプレッサが作動するための加熱モードにおける能力は、約２１，０００ＢＴＵＨ乃至２８，０００ＢＴＵＨの範囲にあるのに対し、先端コンプレッサのみに対する加熱中の能力は、同一の蒸発器温度にて約９，０００ＢＴＵＨ乃至１２，０００ＢＴＵＨの範囲にある。
【００３３】
この能力の増大は、２つのファクタ、すなわち二重（又は多数コンプレッサ）作動用の凝縮器におけるΔｈ（エンタルピーの変化）の増加（Δｈは、コンプレッサの能力の増加により、蒸発器の温度の上昇に伴って増加する）、及びコンプレッサの能力の増加による質量流れの増加に起因する。
【００３４】
Δｈ1×質量流れ1＜Δｈ2×質量流れ2＜ΔｎN×質量流れN
３２.２２２℃（９０°Ｆ）の凝縮器及び−１２.２２２℃（１０°Ｆ）の蒸発器のときの二重コンプレッサ作動の場合、質量流れ2＝２５８．７ｌｂ／ｈｒ（二重コンプレッサ作動に対する性能チャート）及びΔｈ2＝１２４−３６（図６、ｈ＠２´−ｈ＠３）＝８８となる。
【００３５】
能力2＝８８×２５８．７＝２２，７６６ＢＴＵＨ
３２.２２２℃（９０°Ｆ）の凝縮器及び−６.６６７℃（２０°Ｆ）の蒸発器のときにのみ作動する先端コンプレッサの場合、質量流れ1＝１５０．３ｌｂ／ｈｒ（主コンプレッサのみに対する性能チャート）及びΔｈ1＝１２１−３６（図６、ｈ＠２−ｈ＠３）＝８５となる。
【００３６】
能力1＝８５×１５０．３＝１２，７７６ＢＴＵＨ
使用時、本発明は、温度が加熱モードの温度範囲以下に降下したとき、作動する二次的コンプレッサＮの数が増すように、追加的な二次的コンプレッサＮを提供するステップを更に備えることができる。また、この方法は、二次的コンプレッサ３２、３３又はＮの少なくとも１つを冷却モードにて専用的に作動させるステップと主コンプレッサ３１の作動とを交互に行うことを含むこともできる。
【００３７】
本発明の上述した実施の形態は、外部の周囲温度が降下し続ける間に、熱の出力を一定に保つことを含む、多くの利点をもたらすことができる。更に、冷却装置の全体は、冷却モードのとき単一のコンプレッサにのみ合う寸法とされている。冷却モード中、コンプレッサは、その他の任意のコンプレッサの作動と切り換え、各コンプレッサの予想寿命を保存することができるようにする。
【００３８】
この開示は、特許請求の範囲に含めた事項及び上記の説明に掲げた事項を含む。本発明をある程度、具体的にその好ましい形態に関して説明したが、この好ましい形態のこの開示は、単に一例であり、本発明の精神及び範囲から逸脱せずに、部品の構造、組み合わせ及び配置の細部の点にて多くの変更が可能であることを理解すべきである。
【図面の簡単な説明】
【図１】  冷却モードにおける可逆型冷却装置の二重並列コンプレッサを示す従来技術の図である。
【図２】  公知の技術の過程を示す圧力−エンタルピー線図である。
【図３】  加熱モードにて同時に作動する可逆型冷却装置における二重、並列コンプレッサを有する本発明の一つの実施の形態の図である。
【図４】  本発明の過程を示す、圧力−エンタルピー線図の図である。
【図５】  主コンプレッサと共に多数の二次的コンプレッサを有する本発明の一つの実施の形態の図である。
【図６】  本発明の一つの実施の形態の圧力−エンタルピー線図及び関係するデータの図である。
【図１】
0004421776.tif 000002
【図２】
0004421776.tif 000003
【図３】
0004421776.tif 000004
【図４】
0004421776.tif 000005
【図５】
0004421776.tif 000006
【図６】
0004421776.tif 000007